(57)【要約】【課題】  キャビネット内の収容効率を極力損することなく、またシンクの流し口と建物側排水管の口軸のズレを解消しつつ、その取付作業を向上させる。【解決手段】  内部が下方を通水間隙とした隔壁により第一室と第二室に仕切られ、第一室の上面にはシンクの流し口と連通する排水口をシンクの手前に位置するように偏心して形成すると共に、第二室の上方にはオーバーフロー口を形成してなる封水トラップ体と、該封水トラップの第二室と隣接して前記オーバーフロー口と連通すると共に下方に開口する建物側排水管との接続口を有する排水取出し体とかならなり、該排水取出し体と前記封水トラップ体とは一体に成形され、且つ、シンクの流し口に上方から挿入して取付可能とした。また、上部構造としてゴミかごが収納可能な一定深さを有し、且つ、シンクの流し口に上方から挿入して取付可能なゴミかご収容体を備える。【選択図】        図１
2006219902.tif 000002
【特許請求の範囲】
【請求項１】
内部が下方を通水間隙とした隔壁により第一室と第二室に仕切られ、第一室の上面にはシンクの流し口と連通する排水口を前記シンクの手前に位置するように偏心して形成すると共に、前記第二室の上方にはオーバーフロー口を形成してなる封水トラップ体と、該封水トラップの前記第二室と隣接して前記オーバーフロー口と連通すると共に下方に開口する建物側排水管との接続口を有する排水取出し体とかならなり、該排水取出し体と前記封水トラップ体とは一体に成形され、且つ、シンクの流し口に上方から挿入して取付可能としたことを特徴とする排水トラップ構造。
【請求項２】
上部構造としてゴミかごが収納可能な一定深さを有し、且つ、シンクの流し口に上方から挿入して取付可能なゴミかご収容体を備えた請求項１記載の排水トラップ構造。
【請求項３】
ゴミかご収容体の下面に封水トラップ体と排水取出し体とを一体に設けた請求項２記載の排水トラップ構造。
【請求項４】
シンクの流し口に対する取付部の横断面形状が真円または正多角形である請求項１、２または３記載の排水トラップ構造。
【請求項５】
排水取出し体は、接続口を封水トラップから乖離して屈曲させてなる請求項１〜４のうち何れか一項記載の排水トラップ構造。
【請求項６】
ゴミかご収容体の底面に排水取出し体と連通する閉止可能な洗浄口を設けた請求項１〜５のうち何れか一項記載の排水トラップ構造。
【請求項７】
封水トラップ体の底面に閉止可能なドレン口を設けた請求項１〜６のうち何れか一項記載の排水トラップ構造。
【発明の詳細な説明】
【技術分野】
【０００１】
この発明は、流し台のシンクに取付けられる排水トラップ構造において、少なくとも封水部（封水トラップ体）と排水管接続部（排水取出し体）をシンクの流し口の孔径よりもコンパクトに一体構成することによって設置に係る作業数を減らすと同時に、キャビネット内の収容効率を高め、さらに建物側排水管と口軸のズレをも吸収して設置できる改良に関するものである。
【背景技術】
【０００２】
流し台のシンクにある流し口には少なくともゴミかごが収容可能な排水トラップが取付けられる一方、床下からは建物側排水管が立ち上げられ、排水トラップを介して流し口と建物側排水管とを接続しているが、流し口と建物側排水管の口軸は必ずしも一致しない場合がある。このようなズレが生じた場合、排水トラップと建物側排水管との間にフレキシブルな蛇腹管を適用していたが、「住宅の品質確保の促進等に関する法律」（いわゆる品確法）の施行に伴い、その指定住宅性能評価機関が公表する優良住宅部品認定基準によれば、流し台に関し、維持管理・部品交換の容易性を確保するという観点より、排水管の内面平滑性が要求されており、前記蛇腹管はこの要請を満たさないという問題がある。これに関連して、本出願人は、器具側排水管と建物側排水管にズレが生じている場合でも、両者排水管を内面平滑性を有する直管により接続すべく、直管用偏心アダプタなる発明を開示している（特許文献１を参照）。
【０００３】
他方、本出願人は、流し台キャビネット内の収容効率を高める目的で、排水トラップのゴミかご収容体とキャビネットの背板寄りに位置して横並びに接続できる封水トラップを考案している（特許文献２を参照）。この封水トラップによれば、Ｓ字状トラップの使用が避けられ、その結果、排水トラップ直下の出っ張りが小さくなり、キャビネット奥側に発生するデッドスペースを解消している。
【０００４】
【特許文献１】特開２００４−１１０９３号公報
【特許文献２】特開平９−２７３２００号公報
【発明の開示】
【発明が解決しようとする課題】
【０００５】
上述した従来の技術を組み合わせて同時に用いれば、流し台キャビネットのデッドスペースを解消することができると共に、シンクの流し口と建物側排水管の口軸のズレをも吸収することができる。しかしながら、この場合、少なくとも二部材構成となるため、その分、取付工数が増して、その作業内容もゴミかご収容体はシンクの上方から取付ける一方、封水トラップや偏心アダプタなどの取付けはキャビネット内という狭小な空間で行わざるを得ないため、施工性に改良の余地があった。
【０００６】
本発明は上述した課題を解決するためになされたもので、その目的とするところは、キャビネット内の収容効率を極力損することなく、シンクの流し口と建物側排水管の口軸のズレを解消しつつ、その施工性を向上させることである。
【課題を解決するための手段】
【０００７】
上述した目的を達成するために本発明では、内部が下方を通水間隙とした隔壁により第一室と第二室に仕切られ、第一室の上面にはシンクの流し口と連通する排水口を前記シンクの手前に位置するように偏心して形成すると共に、前記第二室の上方にはオーバーフロー口を形成してなる封水トラップ体と、該封水トラップの前記第二室と隣接して前記オーバーフロー口と連通すると共に下方に開口する建物側排水管との接続口を有する排水取出し体とかならなり、該排水取出し体と前記封水トラップ体とは一体に成形され、且つ、シンクの流し口に上方から挿入して取付可能とするという手段を用いた。この手段によれば、一体化された封水トラップ体と排水取出し体を同時にシンクの流し口に上方から取付けることができる。また、封水トラップ体の第一室上面に形成される排水口はシンク手前に偏心して位置する一方、排水取出し体は封水トラップ体の奥行き分、上下方向の口軸がシンクの流し口の口軸からシンク奥側に偏心するから、この偏心量の範囲でシンクの流し口と建物側排水管との口軸のズレを吸収することができる。さらに、排水トラップ構造の取付完了後において、シンクの流し口の直下に封水トラップ体と排水取り出し体が出っ張ることになるが、通常の流し台の排水量を処理するには全高が１１０〜１２０ｍｍあれば充分であるから、上記封水トラップ体のゴミかご収容体下面からの実質的な垂下量は６５〜８５ｍｍの範囲にとどまり、当該垂下量が収容スペースを圧迫することがなく、且つ、排水取出し体はその接続口に接続される建物側排水管と共に流し台キャビネットの背面側に位置することになるから、流し台キャビネット内部の収容効率が維持される。さらに排水取出し体はその下端に建物側排水管を接続できればよいから、垂下量を封水トラップ体に合わせて設定することができる。なお、上記手段において、シンクの流し口に対する取付部は、従来のゴミかご収容体で採用されるように、流し口に上面から係止される上縁フランジとキャビネット内から装着されるロックナットとによって流し口を挟持した状態で固定する構造を採用することができる。また、シンクにゴミかご収容体（部）が一体に具備される場合には、該ゴミかご収容体（部）の下面開口に本構造を上方から挿入して取付けられるものである。ゴミかご収容体（部）には本構造の取り付け後にゴミかごを収容できることはもちろんである。
【０００８】
一方、シンクにゴミかご収容体が一体に具備されていないときは、上部構造としてゴミかごが収納可能な一定深さを有し、且つ、シンクの流し口に上方から挿入して取付可能なゴミかご収容体を備えるという手段を選択的に用いる。この選択的手段は、ゴミかご収容体の下面に封水トラップ体と排水取出し体とを一体に設けるというさらなる選択手段を含む。全てを一体とした当該手段によれば、本構造をシンクの流し口に上方から取付けるという一工程のみで取付作業を完了することができる。なお、一体であれ別体であれ、上部構造としてのゴミかご収容体は、上述したように、シンクの流し口に上方から挿入し、その上縁フランジとキャビネット内部から適宜パッキンを介して装着されるロックナットとによってシンク底面を挟持した状態で取付けられるものである。また、本発明では、シンクの流し口に対する取付部の横断面形状を真円あるいは正多角形とすることで、シンクの流し口に挿入する際に本発明構造を回転させることができる。この結果、これと連動して排水取出し体の軸位置も変化するから、建物側排水管との口軸のズレをより広範に吸収することができる。なお、ゴミかご収容体を具備するか否かでシンクの流し口に対する取付対象が異なるが、何れの場合であっても取付部の構成は共通のものを採用することができる。他方、排水取出し体は直管状であってもよいが、下端接続部を封水トラップ体から乖離するように屈曲すれば、その乖離量だけ口軸ズレの吸収量が大きくなる。なお、本発明はそれ自体で建物側排水管との口軸のズレを解消するものであるが、その範囲外の場合に、建物側排水管としてフレキシブル管の使用を排除するものではない。
【０００９】
また、ゴミかご収容体の底面に排水取出し体と連通する閉止可能な洗浄口を設けることによって、通常使用時は洗浄口を閉じる一方、開口した状態で当該洗浄口から例えば高圧洗浄ノズルを差し込んで建物側排水管を清掃することができる。
【００１０】
さらに、封水トラップ体の底面にキャップ等により閉止可能なドレン口を設けることで、封水トラップ体に目詰まり等が発生した場合にもメンテナンスが容易である。
【発明の効果】
【００１１】
以上説明した本発明構造、封水トラップ体と排水取出し体をシンクの流し口に上方から挿入可能に一体成形したものであるから、部品点数の減少により作業工程が少なく、従来、シンクの流し口に上方から挿入できないため、別途にキャビネット内での接続が強いられていたＳ字トラップの使用に比べて作業性がよく、排水取出し体に建物側排水管を接続するのみで全ての取付作業が完了するという施工性に優れた排水トラップ構造を提供することができた。上部構造としてゴミかご収容体を備えたものにあっては、上述した作業性を損することなく、機能性に優れた排水トラップ構造とすることができる。さらに、シンクの流し口に対する取付部を横断面真円または正多角形に成型することで、本発明構造を回転させて排水取出し体と建物側排水管の口軸合わせが容易に行うことができ、さらに排水取出し体の下端接続部を屈曲したものにあっては、より広範囲で口軸のズレを吸収することができる。他方、ゴミかご収容体に排水取出し体の洗浄口を形成したものや封水トラップ体にドレン口を設けたものにあっては、清掃やメンテナンスが容易に行えるものである。
【発明を実施するための最良の形態】
【００１２】
以下、本発明の好ましい実施の形態を添付した図面に従って説明する。図１は本発明の一実施形態に係る排水トラップ構造の縦断面図であって、１は内部にゴミかごＫを収容した状態でシンクの流し口Ｓに取付けられるゴミかご収容体、２はゴミかご収容体１の下面に一体に垂設された封水トラップ体、３は封水トラップ体２と並んでゴミかご収容体１の下面に一体に垂設された排水取出し体である。
【００１３】
ゴミかご収容体１は、図２に示すように、横断面真円形状を呈し、その底面には中心から周壁寄りに偏心して封水トラップ体２と連通する排水口４および排水取出し体３と連通する洗浄口５が形成されている。その形成位置は、該ゴミかご収容体１をシンクの流し口Ｓに取付けた状態で、流し台キャビネットの背板Ｗを奥面として手前に位置するものである。なお、この実施形態では、ゴミかごＫをセットしない場合に備えて、排水口４にアミ蓋６を取付け、箸・スプーンなどの小物食器や野菜屑・残飯などの大きなゴミを捕獲するようにしている。他方、洗浄口５には高圧洗浄用ノズル（図示せず）の差込み部材７が設けられると共に、通常使用時には差込み部材７の差込口７ａを閉止する栓体８が取付けられている。ゴミかご収容体１のシンク流し口Ｓに対する取付方法は従来と変わることがなく、上方から流し口Ｓに挿入した後、そのフランジ１ａとキャビネット内部から適宜ドーナツ状のパッキンＲを介して装着されるロックナットＮとでシンク底を挟持して固定されるものである。ただし、本実施形態ではゴミかご収容体１を横断面真円としたため、回転させることが可能で、これにより当該収容体１に一体に垂設された封水トラップ体２の向きを変更でき、さらには排水取出し体３と建物側排水管Ｐとの口軸合わせが可能となる。同様の作用を行う別構成として、本収容体１を横断面正多角形に成形してもよい。
【００１４】
他方、封水トラップ体２は、ゴミかご収容体１の下面から一体に垂下された下方にドレン口Ｄを形成してなる周壁２ａと、前記ドレン口Ｄを閉止するキャップ体２ｂとによって有底筒状の外形が構成され、さらに内部はゴミかご収容体１の下面からやはり一体に垂下された隔壁２ｃによってゴミかご収容体１の排水口４と連通する第一室２ｄと、該第一室２ｄと対向する第二室２ｅとに仕切られている。隔壁２ｃはキャップ体２ｂとの間に通水間隙２ｆが設けられると共に、第二室２ｅの周壁２ａ上方にオーバーフロー口２ｇを形成することによって、排水口４からの排水をオーバーフロー口２ｇの深さまで貯留して汚臭や異物の逆流を防止しつつ、その貯留体積を超えた排水を通水間隙２ｆを通じてオーバーフロー口２ｇから排水取出し体３へと導水している。
【００１５】
さらに、排水取出し体３は、封水トラップ体２の第二室２ｅ側の周壁２ａを一部共有しつつ、当該周壁２ａとゴミかご収容体１の下面から一体に垂下された管壁３ａとの閉塞により、封水トラップ体２のオーバーフロー口２ｇと連通する排水路３ｂを形成している。さらに、本実施形態では、排水路３ｂの下端に、封水トラップ体２から乖離するように屈曲され、下方を開口した接続口３ｃが一体に設けられている。接続口３ｃには袋ナットＦにより建物側排水管Ｐが接続されるものである。
【００１６】
上記構成の排水トラップ構造によれば、必要な部材を一体に設けられ、しかも、上部構造としてのゴミかご収容体１を含め、封水トラップ体２および排水取出し体３は、全体の大きさをシンクの流し口Ｓを通過可能な開口投影範囲に収めているため、この一体化された本トラップ構造はシンクの流し口Ｓに上方から挿入することができる。そして、本構造を流し口Ｓに挿入し、ゴミかご収容体１を通法に従ってシンクに取付けた後、排水取出し体３の接続口３ｃに建物側排水管Ｐを接続するのみで全ての取付作業が完了する。また、封水トラップ体２を一体に設けたことによって、Ｓ字状トラップの使用が避けられ、且つ、該封水トラップ体２は流し台キャビネットの手前に位置してゴミかご収容体１からの垂下量が小さいものであるから、流し台キャビネット内の収容スペースを圧迫することがないと共にデッドスペースができず、収容効率が高いものである。さらに、排水取出し体３を封水トラップ体２と横並びに設けた結果、その口軸は必然的にゴミかご収容体１の中心軸、即ちシンクの流し口Ｓの口軸と乖離し、この乖離量分だけ、シンクの流し口Ｓと建物側排水管Ｐの口軸のズレを吸収することができる。さらにまた、この実施形態では排水取出し体３の接続口３ｃを屈曲して設けているため、その屈曲量分だけ、さらに口軸の大きなズレに対処できるものである。
【００１７】
なお、上記実施形態では、上部構造としてゴミかご収容体１を一体に設けたが、その下部構造、即ち上部にゴミかご収容体１と同様のシンクの流し口Ｓに対する取付部を有し、流し口Ｓに上方から挿入して取付可能に構成した封水トラップ体２と排水取出し体３の一体構造物のみによっても本発明の目的を達成することができる。また、ゴミかご収容体１と別体に構成される場合でも、ゴミかご収容体１との併用は排除されず、ゴミかご収容体１の下面に開口を設け、該開口に封水トラップ体２と排水取出し体３の一体構造物を上方から挿入し取付けられるようにすることも本発明の創作範囲に含まれるものである。
【図面の簡単な説明】
【００１８】
【図１】本発明の一実施形態に係る排水トラップ構造の縦断面図
【図２】図１のＡ−Ａ線端面図
【符号の説明】
【００１９】
１  ゴミかご収容体
２  封水トラップ体
３  排水取出し体
Ｐ  建物側排水管
【図１】
2006219902.tif 000003
【図２】
2006219902.tif 000004